(57)【要約】      （修正有）【課題】口対口人口呼吸用具において，安価でさらに元来のティッシュペーパーとしての機能も変わらないポケットティッシュに，人口呼吸用具の機能を持たすことにより口対口人口呼吸に対する不安要素を解消さすること。【解決手段】平らな形状である二枚のシートのおおむね中央に，互いが交差する方向に開口部１及び開口部２を設けたこと，及び平らな形状である二枚のシートを袋体とし，その中に緩衝材として柔軟シートを入れたことを特徴とする人口呼吸用具。【選択図】図４
2005111233.tif 000002
【特許請求の範囲】
【請求項１】
平らな形状である二枚のシートのおおむね中央に，互いが交差する方向に開口部１及び開口部２を設けたことを特徴とする人口呼吸用具。
【請求項２】
平らな形状である二枚のシートを袋体とし，その中に緩衝材として柔軟シートを入れたことを特徴とする人口呼吸用具。
【発明の詳細な説明】
【技術分野】
【０００１】  本発明の人口呼吸用具は心肺蘇生法を広く国民に普及定着させ，心肺停止患者の救命率向上を図る。
【背景技術】
【０００２】  従来の携帯人工呼吸用具は人工呼吸専用であり，あえてその用具を購入し携帯する必要があり広く普及しているとは言い難い。
【特許文献１】  特開平７−２４６２３９号
【発明の開示】
【発明が解決しようとする課題】
【０００３】  従来の人工呼吸用具は人口呼吸専用であり他の機能を兼ね備えた物はない。
薄型の人口呼吸用具が作られてはいるが，財布等に入れて持ち歩くもので収納場所に制約がある。【０００４】  使用頻度はきわめて少ないものであると考えられるため購入されておらず，販売価格が物品の機能や外観からすると高価である。  以上の理由から従来の人口呼吸用具は普及せず，よって人口呼吸が行われないため救命率の向上は望めない。【０００５】  本発明は，目前に切迫した心肺停止や呼吸停止の要救護者に対応するため，国民誰もが携帯できることを目的としたものである。
【課題を解決するための手段】
【０００６】  本発明の人口呼吸用具はこの課題を解決するためになされたものであり，顔面に密着しやすい平らな形状である二枚のシートのおおむね中央に互いに交差する方向に開口部を設けたことを特徴とする。【０００７】  本発明で用いる二枚のシートとは柔軟なプラスチック等の材質で，形状は方形が最も適しているが円形等でも可能で，携帯しやすくしかも平らな形状であることが必要である。【０００８】  本発明でいう開口部とはシート１の開口部１とシート２の開口部２が交差し，人口呼吸を行うために開口部１及び開口部２とも最低２センチメートル必要となる。【０００９】  またシート２には開口部２のおおむね中央に互いに交差するように開口部３を設けても良い。【００１０】  開口部の形状は直線又は緩やかな曲線とする。【００１１】  開口部はミシン目等の用手により容易に開口可能な方法を用いて設ける。【００１２】  二枚のシートを使用するには，二枚のシートだけで使用する以外にこの二枚のシートを袋体とし柔軟なシートを入れて使用する場合がある。【００１３】  本発明でいう袋体とはシート１及びシート２を融着等により接着し，開口部のない袋状にしたものである。【００１４】  本発明でいう柔軟なシートとは，たとえばティッシュペーパー等で口と口を隔てる緩衝材として，さらに視覚からも相手の口が全面に見えることがなくなり心理的抵抗を軽減できるものが好ましい。
【発明を実施するための最良の形態】
【００１５】  口対口人工呼吸（マウストウマウス）を実施する際に，衛生的環境を作るものである。
【発明の効果】
【００１６】  感染防止はもとより携帯しやすく，低コストであるため汚損等により容易に交換でき，さらに柔軟なシートを使用することにより口対口人口呼吸時の心理的抵抗を一層軽減させることができる。
【実施例】
【００１７】  以下，本発明の実施例を図面を用いて説明する。【００１８】  平らな形状である二枚のシート１及びシート２を袋体とし，この中に６柔軟シートを入れ，このシート１及びシート２のおおむね中央に互いに交差する方向にシート１に開口部１，シート２に開口部２及び開口部３を設けたものとしては，市販されているポケットティッシュを利用するのが効果的である。【００１９】  シート１には既に開口部１が設けられており，シート２にこの開口部１と交差する方向に開口部２を設ける。【００２０】  さらにシート２に入れた開口部２に交差するように開口部３を設ける。【００２１】  ポケットティッシュを利用した場合，６柔軟シートはティッシュペーパーを利用できる。【００２２】  ポケットティッシュのティッシュ取出し口である開口部１を開けティッシュペーパーを一部又は全て取出す。【００２３】  このように市販されているポケットティッシュのシート１に設けられたティッシュ取出し口である開口部１と反対面であるシート２に開口部２及び開口部３を設けることにより発明品を得た。【００２４】  以下，本実施例のポケットティッシュを用いた使用例を説明する。【００２５】  ポケットティッシュのシート１に設けられたティッシュ取出し口である開口部１を開け，ティッシュペーパーを一部又は全て取出す。【００２６】  シート２の開口部２と，開口部２のおおむね中央に交差するように設けた開口部３も開ける。【００２７】  ティッシュペーパー取出し口である開口部１を広げ要救護者の口と開口部１を平行にあて口を広げる。【００２８】  救護者はシート２に設けた開口部２に平行に口をあてる。【００２９】  口対口人口呼吸は要救護者と救護者の口がほぼ直角となることから，これで要救護者と救護者の口の位置関係が交差する状態となり口対口の人口呼吸（マウストウマウス）が可能となる。【００３０】  一部残したティッシュペーパーは，救助者の口の中央部付近，または開口部２及び開口部３が交差する場所に指でティッシュペーパーに穴をあけ使用する。【００３１】  ティッシュペーパーに穴を開けずに人口呼吸を実施した場合，良好な換気が期待できない場合がある。【００３２】  本事例で用いたポケットティッシュの一面側には，広告を印刷した硬い紙が入れられており容易に救助者の指により換気に用いる穴が開けられないため，次の処置を講じた。【００３３】  広告が印刷された紙に，シート２に設けた開口部２及び開口部３と同様の開口部を設け，容易に紙を開けることが出来るようにした。【００３４】  広告用紙，シート１及びシート２の一部又は全部に心肺蘇生法又は人口呼吸法（マウストウマウス）の方法等を可能な限り記載することで，さらに効果的となる。【００３５】  本発明による実施例としては，二枚のシートだけで使用する場合，二枚のシートに柔軟シートを入れて使用する場合，二枚のシートに広告等の紙を入れて使用する場合，及び二枚のシートに柔軟シートと広告等の紙の両方を入れて使用する場合がある。
【産業上の利用可能性】
【００３６】  現在，救命率向上のため絶対に必要とされる人口呼吸及び心肺蘇生法に対し有用な材料を提供する。
【図面の簡単な説明】
【００３７】
【図１】  本発明の実施例を示す立体図である。
【図２】  本発明の実施例を示すポケットティッシュの図である。
【図３】  本発明である人口呼吸用具の使用図である。
【図４】  本発明である人口呼吸用具の使用図である。
【符号の説明】
【００３８】  １  シート１
２  シート２
３  開口部１
４  開口部２
５  開口部３
６  柔軟シート
【図１】
2005111233.tif 000003
【図２】
2005111233.tif 000004
【図３】
2005111233.tif 000005
【図４】
2005111233.tif 000006